(57)【特許請求の範囲】
【請求項１】
浴室内に配管された温水配管から分岐配管を経由して給湯を受けるミストノズルと、
前記分岐配管からミストノズルに至る給湯を制御する給湯制御手段と、
から成るミスト式浴室暖房装置。
【請求項２】
浴室内の空気を素早く加熱する上向きミストノズルと、浴室の床を素早く加熱する下向きミストノズルから成る請求項１に記載のミスト式浴室暖房装置。
【請求項３】
ミストノズルの向きが可変に構成されていることを特徴とする請求項２に記載のミスト式浴室暖房装置。
【請求項４】
ミストの粒子径が１００〜１５０μとなるチップを使用し、これにより温水ミストと浴室内の空気との熱交換を促進することにより、浴室内を効果的に加温することを特徴とする請求項２又は３に記載のミスト式浴室暖房装置。
【請求項５】
下向きミストノズルの噴出流量を上向きミストノズルの噴出流量より多くなるように設定したことを特徴とする請求項２乃至４に記載の何れかに該当するミスト式浴室暖房装置。
【請求項６】
下向きミストノズルから噴出するミストの粒径を、上向きミストノズルから噴出するミストの粒径よりも大きくなるようなチップを使用して成る請求項２乃至５に記載の何れかに該当するミスト式浴室暖房装置。
【請求項７】
下向きミストノズルにはフラットスプレーノズルを使用し、このフラットスプレーノズルからの温水噴射を排水溝から最も遠い位置とすることにより排水溝まで流れつく対流時間を稼ぎ、浴室床面を効果的に加温することができるように構成して成る請求項２乃至６に記載の何れかに該当するミスト式浴室暖房装置。
【請求項８】
ノズル詰まりの防止のため、ミストノズルの手前側に、フィルターを取り付けたことを特徴とする請求項１乃至７に記載の何れかに該当するミスト式浴室暖房装置。
【請求項９】
ミスト噴霧量を適当な量に調節するため、ミストノズルの手前側に、ガバナー機構を取り付けたことを特徴とする請求項１乃至８に記載の何れかに該当するミスト式浴室暖房装置。
【請求項１０】
制御手段をユニット本体に内蔵し、浴室外のリモコンによって当該給湯制御手段の制御を行うことができるように構成して成る請求項１乃至９に記載の何れかに該当するミスト式浴室暖房装置。
【請求項１１】
ユニット本体に赤外線もしくは電波信号の受信部を有し、浴室外のワイヤレスリモコンによって給湯制御手段の制御を行うことができるように構成して成る請求項１乃至９に記載の何れかに該当するミスト式浴室暖房装置。
【請求項１２】
ユニット本体に壁固定部を設けると共に、この壁固定部に複数の穴をあけて浴室内の任意の位置にユニット本体を固定できるように構成して成る請求項１０又は１１に記載のミスト式浴室暖房装置。
【請求項１３】
壁固定部に固定穴を設けると共にこの穴ピッチを１０ｍｍ間隔、もしくは２０ｍｍ間隔もしくは２５ｍｍもしくは５０ｍｍ間隔とすることを特徴とする請求項１２に記載のミスト式浴室暖房装置。
【請求項１４】
壁固定部に対して、ユニット本体を側面、もしくは上面から固定することにより施工・メンテナンスを容易にした請求項１２又は１３に記載の何れかに該当するミスト式浴室暖房装置。
【請求項１５】
ユニット本体を浴槽のエプロンに取り付けて成る請求項１０乃至１４に記載の何れかに該当するミスト式浴室暖房装置。
【請求項１６】
分岐配管は、洗い場側の混合水栓に至る温水配管から分岐するように構成して成る請求項１乃至１５に記載の何れかに該当するミスト式浴室暖房装置。
【請求項１７】
分岐配管は、浴槽用混合水栓に至る温水配管から分岐するように構成して成る請求項１乃至１５に記載の何れかに該当するミスト式浴室暖房装置。
【請求項１８】
分岐配管を金属フレキシブル管で構成して成る請求項１乃至１７に記載の何れかに該当するミスト式浴室暖房装置。
【請求項１９】
ユニット本体内にタイマーを所有させて運転開始から一定時間が経過すると運転を停止するように構成して成る請求項１乃至１８に記載の何れかに該当するミスト式浴室暖房装置。
【請求項２０】
ユニット本体内において、ミストノズルに至る配管に排水管を取り付けて給湯温度が設定温度以下の場合にはこの排水管側から冷たい水を排水し、設定温度に達したときにミストノズル側に切り換るように構成して成る請求項１乃至１９に記載のミスト式暖房装置。
【請求項２１】
ユニット内の配管に水温検出手段を取り付けてこの水温検出手段で検出される水温が設定値以下の場合は、排水管に取り付けた自動弁を開に制御し、設定値以上の場合には閉に制御する制御回路を設けて成る請求項２０に記載のミスト式浴室暖房装置。
【請求項２２】
ユニット本体内の排水管の分岐部に三方弁を取り付けてこの三方弁をミストノズル側又は排水管側に切り換えて暖房又は排水を制御できるように構成して成る請求項２０に記載のミスト式浴室暖房装置。
【請求項２３】
ミストノズルを水平軸及び垂直軸方向に回転できる軸本体で構成すると共にこれら水平軸及び垂直軸方向に本体を回転させるときに、クリック感を生じる手段を各回転軸に構成して成る請求項１乃至２２に記載のミスト式暖房装置。
【発明の詳細な説明】
【０００１】
【発明の属する技術分野】
本発明は、ミストノズルを用いて浴室内の空間及び洗い場の床を暖房するための装置であって、更に詳しくは、熱源機とミストノズル間に専用の配管工事を行うことなく設置できるミスト式浴室暖房装置に関する。
【０００２】
【従来の技術】
従来のミスト式浴室暖房装置の場合は、例えば図５に示すように、浴室１００外に設置した熱源機１０２とノズルユニット１０１間に専用の配管１０３を施工する必要があることから、新築工事の場合及びリフォーム等に際して、外壁に接近した隣接物があると、施工が出来ない場合がある。また、この施工ができる場合でも、配管工事に多大な手数と経費がかかるという問題がある。
【０００３】
【発明が解決しようとする課題】
本発明の課題は、ミスト式浴室暖房装置において、専用の配管工事を行う必要がないようにして施工上の問題と経費上の問題の解消を図ることである。
【０００４】
【課題を解決するための手段】
上記課題を解決し、更にミスト式浴室暖房装置の性能と使用勝手を良くするために提案する本発明の構成は次のとおりである。
【０００５】
１．浴室内に配管された温水配管から分岐配管を経由して給湯を受けるミストノズルと、
前記分岐配管からミストノズルに至る給湯を制御する給湯制御手段と、
から成るミスト式浴室暖房装置。
【０００６】
２．浴室内の空気を素早く加熱する上向きミストノズルと、浴室の床を素早く加熱する下向きミストノズルから成る前記１に記載のミスト式浴室暖房装置。
３．ミストノズルの向きが可変に構成されていることを特徴とする前記２に記載のミスト式浴室暖房装置。
【０００７】
４．ミストの粒子径が１００〜１５０μとなるチップを使用し、これにより温水ミストと浴室内の空気との熱交換を促進することにより、浴室内を効果的に加温することを特徴とする前記２又は３に記載のミスト式浴室暖房装置。
【０００８】
５．下向きミストノズルの噴出流量を上向きミストノズルの噴出流量より多くなるように設定したことを特徴とする前記２乃至４に記載の何れかに該当するミスト式浴室暖房装置。
【０００９】
６．下向きミストノズルから噴出するミストの粒径を、上向きミストノズルから噴出するミストの粒径よりも大きくなるようなチップを使用して成る前記２乃至５に記載の何れかに該当するミスト式浴室暖房装置。
【００１０】
７．下向きミストノズルにはフラットスプレーノズルを使用し、このフラットスプレーノズルからの温水噴射を排水溝から最も遠い位置とすることにより排水溝まで流れつく対流時間を稼ぎ、浴室床面を効果的に加温することができるように構成して成る前記２乃至６に記載の何れかに該当するミスト式浴室暖房装置。
【００１１】
８．ノズル詰まりの防止のため、ミストノズルの手前側に、フィルターを取り付けたことを特徴とする前記１乃至７に記載の何れかに該当するミスト式浴室暖房装置。
【００１２】
９．ミスト噴霧量を適当な量に調節するため、ミストノズルの手前側に、ガバナー機構を取り付けたことを特徴とする前記１乃至８に記載の何れかに該当するミスト式浴室暖房装置。
【００１３】
１０．制御手段をユニット本体に内蔵し、浴室外のリモコンによって当該給湯制御手段の制御を行うことができるように構成して成る前記１乃至９に記載の何れかに該当するミスト式浴室暖房装置。
【００１４】
１１．ユニット本体に赤外線もしくは電波信号の受信部を有し、浴室外のワイヤレスリモコンによって給湯制御手段の制御を行うことができるように構成して成る前記１乃至９に記載の何れかに該当するミスト式浴室暖房装置。
【００１５】
１２．ユニット本体に壁固定部を設けると共に、この壁固定部に複数の穴をあけて浴室内の任意の位置にユニット本体を固定できるように構成して成る前記１０又は１１に記載のミスト式浴室暖房装置。
【００１６】
１３．壁固定部に固定穴を設けると共にこの穴ピッチを１０ｍｍ間隔、もしくは２０ｍｍ間隔もしくは２５ｍｍもしくは５０ｍｍ間隔とすることを特徴とする前記１２に記載のミスト式浴室暖房装置。
【００１７】
１４．壁固定部に対して、ユニット本体を側面、もしくは上面から固定することにより施工・メンテナンスを容易にした前記１２又は１３に記載の何れかに該当するミスト式浴室暖房装置。
【００１８】
１５．ユニット本体を浴槽のエプロンに取り付けて成る前記１０乃至１４に記載の何れかに該当するミスト式浴室暖房装置。
１６．分岐配管は、洗い場側の混合水栓に至る温水配管から分岐するように構成して成る前記１乃至１５に記載の何れかに該当するミスト式浴室暖房装置。
【００１９】
１７．分岐配管は、浴槽用混合水栓に至る温水配管から分岐するように構成して成る前記１乃至１５に記載の何れかに該当するミスト式浴室暖房装置。
１８．分岐配管を金属フレキシブル管で構成して成る前記１乃至１７に記載の何れかに該当するミスト式浴室暖房装置。
【００２０】
１９．ユニット本体内にタイマーを所有させて運転開始から一定時間が経過すると運転を停止するように構成して成る前記１乃至１８に記載の何れかに該当するミスト式浴室暖房装置。
【００２１】
２０．ユニット本体内において、ミストノズルに至る配管に排水管を取り付けて給湯温度が設定温度以下の場合にはこの排水管側から冷たい水を排水し、設定温度に達したときにミストノズル側に切り換るように構成して成る前記１乃至１９に記載のミスト式暖房装置。
【００２２】
２１．ユニット内の配管に水温検出手段を取り付けてこの水温検出手段で検出される水温が設定値以下の場合は、排水管に取り付けた自動弁を開に制御し、設定値以上の場合には閉に制御する制御回路を設けて成る前記２０に記載のミスト式浴室暖房装置。
【００２３】
２２．ユニット本体内の排水管の分岐部に三方弁を取り付けてこの三方弁をミストノズル側又は排水管側に切り換えて暖房又は排水を制御できるように構成して成る前記２０に記載のミスト式浴室暖房装置。
【００２４】
２３．ミストノズルを水平軸及び垂直軸方向に回転できる軸本体で構成すると共にこれら水平軸及び垂直軸方向に本体を回転させるときに、クリック感を生じる手段を各回転軸に構成して成る前記１乃至２２に記載のミスト式暖房装置。
【００２５】
【作用】
上記本発明において、熱源機で発生した温水は、浴室内又は浴槽の給湯栓（混合水栓）に至る温水配管を経由したあと、浴室内において分岐された分岐配管を経由してミストノズルに至り、ここから浴室内の空間及び洗い場の床に向けてミスト化されて噴出し、浴室内及び洗い場の床を加温するものである。
【００２６】
【発明の実施の形態】
本発明のミスト式浴室暖房装置は、熱源機から浴室内に向けて配管される給湯配管を、浴室内又は浴室の壁内において分岐するため、ミストノズル用としての特別な配管は行わず、前記分岐したところからミストノズルまでのみ分岐配管を行う。この分岐配管は、浴室の壁内をノズルユニットまで配管してもよいし、リフォーム等であって、壁内配管が困難な場合には、フレキシブル管等を用いて配管してもよく、この配管手段は問わない。
【００２７】
ノズルユニットは、浴室の壁や浴槽のエプロン等に自由に固定できる構造となし、又、ミストノズルは、上向きと下向きのミストノズルの組み合わせを基本とするが、ノズルユニットを取り付ける位置によっては、例えば洗い場の床に近い位置に取り付ける場合には、下向きのミストノズルでは床全体に温水ミストが到達しにくいので、横又は水平に近い角度に設置することが必要である。この意味で浴室の状況と取り付け位置に応じて最も効率的に暖房を行うことができるように、ミストノズルの向きは自由に変更できる方がよい。又、床側に向けてミストを噴出する下向きミストノズルにあっては、出来るだけ遠くまで温水ミストを到達させて床を広く加温できるように、上向きミストノズル側よりも温水ミストの発生量を多くするか、粒径の大きいミストを噴射できるチップのものを用いるとよい。これは粒径があまりに小さいと、床の場合は熱負荷が大きいため、直ぐにドレン化してしまうか、反対に霧状に立ちこめてしまうことがあったり、床に広く拡散しない場合があるからである。又、ミストノズルの向きを変える場合に、クリック感を出すようにすると、使い勝手上便利である。
【００２８】
ミストノズルの場合、水圧によりその発生量に大きな変化があるので、これを調整するために、ミストノズルの手前にガバナーを取り付けて浴室の広さに合った温水ミストが発生するように、水圧を調整できるようにすると便利である。又、フィルターを取り付けてミストチップの目詰まり等の発生を防止するようにしてもよい。
【００２９】
ミスト暖房の運転制御は、ワイヤレスリモコンを用いることができるようにすると便利であるが、直接手で触れて操作ボタンを操作できるようにしてもよい。又、タイマーを所有させて、一定時間以上運転した場合には自動的に停止するようにしてもよい。このようにすると、入浴しようとして暖房運転を行いながら、途中で入浴を中止し、暖房運転の停止ボタンの操作を忘れたような場合に有効である。
【００３０】
次に給湯水温が高いと、ミストノズルの位置によっては火傷の心配があるので、ミストノズルが使用されているときに供給される水温は、５０℃〜６０℃前後となるように熱源機側を制御すると安全である。一方、運転開始直後であって、熱源機が他で運転中でない場合にあっては、未だ熱源機が立ち上がっていなく、冷水が噴出することになるので、これを防止するために配管中に排水管を分岐しておき、水温が低い場合にはミストノズルから冷ミストを噴出しないように、排水管側に排水して設定温度に上昇するまで待機するようにすると便利である。
【００３１】
【実施例１】
本実施例は、洗い場の混合水栓まで配管された温水配管を分岐してノズルユニット本体を洗い場の壁面に取り付けた実施例であって、図１に基づいて詳述する。
１は浴室の壁に対して固定穴２を用いて固定されたノズルユニット本体、３はこのノズルユニット本体１において、上向きに取り付けられた上向きミストノズルであって、この上向きミストノズル３は水平回転軸５と垂直回転軸６から成るノズルホルダー４で保持されている。
【００３２】
７はノズルユニット本体１において、下向きに取り付けられた下向きミストノズルであって、この下向きミストノズル７の場合も、水平回転軸９と垂直回転軸１０から成るノズルホルダー８で保持されている。
【００３３】
なお、上記ノズルホルダー４と８の回転部分には、クリック感を出すための所謂ノック機構が組み込まれている。
１１はノズルユニット本体１の下部に設けた分岐配管接続口であって、この配管接続口１１は、途中出湯温サーミスタ１３、三方弁１４を経由して前記上向きミストノズル３と下向きミストノズル７にユニット配管１２を経由して接続されている。１５は前記三方弁１４で分岐された排水管である。
【００３４】
１６は前記分岐配管接続口１１から途中フィルタ１７、水抜き栓１８を経由して混合水栓２０に至る給湯配管１９に接続された分岐配管である。図２はこの分岐配管１６が給湯配管１９から分岐される部分の説明図であって、２１は分岐継手である。
【００３５】
２２はノズルユニット本体１に内蔵された制御回路、２３は電源、２４は制御信号受信部である。
なお、前記実施例において、水圧制御用のガバナーを取り付ける場合には、図１において、点線２５で示す位置である。勿論、ノズルユニット本体１に内蔵することも可能である。
２６は給水配管である。
【００３６】上記実施例のミスト式浴室暖房装置にあっては、熱源機（図示せず）から供給される温水は、浴室までは混合水栓２０に至る給湯配管１９を経由して送られて来て、浴室内で分岐継手２１により分岐されて分岐配管１６内を通り、ユニット配管１２から上向きミストノズル３と下向きミストノズル７に分配され、夫々のミストノズル３、７からミスト化されて浴室内及び床側に向けて噴出し、これにより浴室及び床を加温する。
【００３７】
上記実施例にあっては、ワイヤレスリモコン（図示せず）から制御信号受信部２４にＯＮ信号が入ると、三方弁１４が駆動してユニット配管１２内を開通し、これにより分岐配管１６を経由して温水がミストノズル３、７に供給され、ＯＦＦ信号が入ると三方弁１４が駆動してユニット配管１２内を閉止し、ミストノズル３、７からのミスト噴出を止める。フィルタ１７は、温水中の不純物を除去し、ガバナー２５は水圧を調整して温水ミストの発生量を制御する。
【００３８】
制御回路２２は、上記制御に併せて、次の制御を行う。
出湯温サーミスタ１３で検出される水温が設定値以下の場合には、三方弁１４を排水管１５側に切り換えてミストノズル３、７側への流れを止め、水温が設定値になると三方弁１４をミストノズル３、７側に切り換えて暖房を行う。
又、タイマー回路を所有し、運転開始時から設定時間を経過した場合には、自動的に三方弁１４を閉じて運転を停止する。なお、この設定時間は手動により任意に設定することができる。
【００３９】
本発明においては、上向きミストノズル３と下向きミストノズル７の向きを可変に構成して、取り付け条件に合わせてミストノズルの向きを調整できるようにしている。
また、本発明においては、ミストの粒子径が１００〜１５０μとなるチップを使用して、温水ミストと浴室内の空気との熱交換を促進させて浴室内を効果的に加温することができるようにしている。
【００４０】
また、本発明においては、下向きミストノズル７の噴出流量を上向きミストノズル３の噴出流量より多くなるように設定したり、下向きミストノズル７から噴出するミストの粒径を、上向きミストノズル３から噴出するミストの粒径よりも大きくなるように設定して、暖房効果をより高めることができるようにしている。
【００４１】
また、本発明においては、下向きミストノズル７にはフラットスプレーノズルを使用し、このフラットスプレーノズルからの温水噴射を排水溝から最も遠い位置とすることにより、排水溝まで流れつく対流時間を稼ぎ、これにより浴室床面を効果的に加温することができるようにしている。
【００４２】
また、本発明においては、ノズルユニット本体１の壁固定部１ａの固定穴２の穴ピッチを１０ｍｍ間隔、もしくは２０ｍｍ間隔もしくは２５ｍｍもしくは５０ｍｍ間隔とすることにより、これらの穴間隔を任意に選ぶことにより、タイル壁等に対する取り付けが便利になるようにしている。
【００４３】
また、本発明においては、壁固定部１ａに対して、ノズルユニット本体１を側面、もしくは上面から固定することができるようにして、施工・メンテナンスが容易になるようにしている。
また、本発明においては、ノズルユニット本体１を浴槽のエプロンに取り付けるようにすることにより、壁に取り付けることができないような場合に対応できるようにしている。
【００４４】
また、本発明においては、分岐配管１６を浴槽用混合水栓（図示せず）に至る給湯配管１９から分岐することにより、施工条件上、洗い場の混合水栓２０側から分岐できない場合に対応できるようにしている。
また、本発明においては、分岐配管１６に金属フレキシブル管を用いることにより、施工の多様化を図ることができるようにしている。
【００４５】
【実施例２】
本実施例は、図３に示すように、ノズルホルダー４、８の位置関係と形状を変更した実施例であって、ノズルホルダー４、８はノズルユニット本体１の外に出ていて、その形状は、手で廻し易いように八角形をしており、ミストノズル３、７は手で摘んで垂直回転軸６、１０を中心に方向調整が可能で、水平回転軸５、９はノズルホルダー４、８を摘んで方向調整が可能である。２８はワックスサーモエレメントで給湯温度が適温以下の時は排水管１５より排水を行うもので、排水弁３１の代用例である。
【００４６】
【実施例３】
本実施例は、図４に示すように、ノズルホルダー４、８をノズルユニット本体１の上下面に夫々取り付けてこのノズルホルダー４、８とユニット配管１２をＯリング２７で接続して垂直回転軸６、１０を中心として回転することができ、一方、ミストノズル３、７は水平回転軸５、９により回転（角度）調整できるように構成した実施例である。
【００４７】
【実施例４】
本実施例は、図５に示すように、ノズルユニット本体１内において、図１の三方弁１４に代えて、運転制御用電磁弁３０と排水弁３１を夫々取り付けた実施例であって、電磁弁３０は運転開始、停止時にＯＮ、ＯＦＦ制御され、排水弁３１は適温以外の場合にＯＮに制御される。
【００４８】
【発明の効果】
本発明は以上のように、ノズルユニット本体に空間加温用の上向きミストノズルと床加温用の下向きミストノズルを取り付けると共に、これらミストノズルに至る温水配管（分岐管）は専用配管からではなく、浴室内又は浴槽用の混合水栓等に至る温水配管から分岐するようにした。この結果、次の効果を奏する。
【００４９】
１．ミスト暖房用の専用配管工事を行う必要がないので、設置のための工事費を大巾に削減できる。
２．既設浴室の場合に、浴室内において分岐配管を混合水栓の温水配管に接続するだけのため、工事が出来ないと云った問題がなくなる。
３．ミストノズルを上下に向けたことにより、浴室内と床を効率的に加温することができる。
【図面の簡単な説明】
【図１】本発明に係る暖房装置の説明図。
【図２】分岐継手の説明図。
【図３】実施例２の説明図。
【図４】実施例３の説明図。
【図５】実施例４の説明図。
【図６】従来のミスト式浴室暖房側の説明図。
【符号の説明】
１  ノズルユニット本体
３  上向きミストノズル
７  下向きミストノズル
１２  ユニット配管
１４  三方弁
１５  排水管
１６  分岐配管
２０  混合水栓
２２  制御回路
２３  電源
２４  制御信号受信部
【図１】
0003544443.tif 000002
【図２】
0003544443.tif 000003
【図３】
0003544443.tif 000004
【図４】
0003544443.tif 000005
【図５】
0003544443.tif 000006
【図６】
0003544443.tif 000007